(57)【要約】　　　（修正有）【課題】座り心地を向上させるとともに椅子カバークッション自体を個人・企業の広告（宣伝）媒体とし、携帯可能とし、天候に左右されずに使用可能とし、水洗いを可能とする。【解決手段】繊維素材を表面布材とし、裏面にウレタンフォーム（スポンジ）を貼り付けたもので全体を形成する。繊維素材は撥水・防汚・抗菌・コーティングなどの加工を施し、且つプリント可能なものにする。【選択図】図１
0003099491.tif 000002
【実用新案登録請求の範囲】
【請求項１】
公共・私営の施設に設営されたプラスティック製の椅子へ適用されるものにおいて、椅子カバークッション（図３・図４）の表面布材（図７の１１）に個人・企業の広告（宣伝）を記載（プリント）（図１の１・図２の２）することを特徴とした椅子カバークッション。（図１・図２）
【請求項２】
公共・私営の施設に設営されたプラスティック製の椅子へ適用されるものにおいて、椅子カバークッションを畳んで袋（図６）に収納でき携帯可能とすることを特徴とした椅子カバークッション。
【請求項３】
公共・私営の施設に設営されたプラスティック製の椅子へ適用されるものにおいて、椅子カバークッションの掛け部分（図９の１５）に透明素材を用いたポケット（図４の５）を有し、そのポケットに紙面を挿入することで同時に紙面を表示することが可能であることを特徴とした椅子カバークッション。
【考案の詳細な説明】
【０００１】
【考案の属する技術分野】
本考案は、競技場などの公共・私営の屋内外の施設に設営されたプラスティック製の椅子に取り付ける椅子カバークッション（図３・図４）に関するものである。
【０００２】
【従来の技術】
従来、競技場などの公共・私営の屋内外の施設に設営されているプラスティック製の椅子に対して椅子カバークッションは使われていなかった。
【０００３】
【考案が解決しようとする課題】
競技場などの公共・私営の施設に設営されたプラスティック製の椅子の座り心地を向上させること。
【０００４】
椅子カバークッションを個人・企業の広告（宣伝）媒体（図１・図２）として使用すること。
【０００５】
必要に応じて持ち歩けるようにするため、道具などを使わずに簡単に着脱可能とし、また片手に下げられる程度まで畳めて収納可能とすること。
【０００６】
衛生面を考慮して、椅子カバークッション自体を水洗い可能とすること。
【０００７】
屋外使用を考慮して、椅子カバークッションを雨天下でも使用可能とすること。
【０００８】
【課題を解決するための手段】
座り心地を向上させるため、ウレタンフォーム（スポンジ）（図７の１２）
を使用する。
【０００９】
プリントが可能な表面布材（図７の１１）を使用することで椅子カバークッションを広告（宣伝）媒体とすることが可能となる。
【００１０】
掛け布（図４の６・図９の１６）を椅子カバークッション前面との接ぎ合わせ位置（図３の３・図９の１４）で接ぎ合わせることにより椅子のふちに掛けられる掛け部分（図９の１５）をつくり、その掛け部分を利用し椅子カバークッションを仮保定し、掛け部分の端に通したひも（ゴムひもなど）（図４の８）をしぼることで保定する２段階の保定をとることで、道具を使わず簡易にまた確実に取り付けることができる。また、前記の逆の順序に操作を行うことで道具を使わず簡易にすばやく取り外すことができる。
【００１１】
繊維素材を表面布材とすることで軽量且つ片手に下げられる程度に畳むことができ、水洗いをすることも可能となる。
【００１２】
表面布材に撥水・防汚・抗菌・コーティング加工などを施すことで、屋外また雨天時での使用が可能となる。
【００１３】
【考案の実施の形態】
撥水・防汚・抗菌・コーティングなどの加工を施されたプリント可能な繊維素材を表面布材とし、その裏面にウレタンフォーム（スポンジ）を貼り付けたもの（図７）で座部分以外は形成する。座部分においては形成する前に前記した貼り合わせたもののスポンジ面（裏）にすべり止め加工（図５の９・図８の１３）を施す。もしくはスポンジ面の上にすべり止めネット（図５の９・図８の１３）を取付ける（図８）。また掛け部分を形成する際に掛け部分の内端にひも通し部分（図４の７・図９の１８）を作り、その中にひも（ゴムひもなどを通してしぼれるようにし、しぼりを固定するためにストッパー（図３の４）を利用する。
【００１４】
【実施例】
椅子カバークッションの表面布材の表面にプリントを入れることで椅子カバークッション自体が広告（宣伝）媒体となる。
【００１５】
椅子カバークッションを取り付ける手順は椅子カバークッションをプラスティック製の椅子の上に乗せ、椅子のふちに掛け部分を被せていき、掛け部分の端に通したひも（ゴムひもなど）をしぼり、ストッパーで固定する。取り外す時はストッパーとひもを緩め、椅子のふちから掛け部分を外し、持ち上げて取り外す。このことで簡易ですばやい着脱が可能となる。
【００１６】
椅子カバークッションを畳んで袋（図６）に収納することで持ち歩くことが可能となる。
【００１７】
椅子カバークッションによって、今現状のプラスティック製の椅子を天候に左右されることなく、座り心地を向上させることが低予算で可能となる。
【００１８】
椅子カバークッションの後ろに取り付けられた透明素材ポケット（図４の５）には観戦チケットの半券などを収納したり、また座席ナンバーなどを表示するものを挿入し表示することが可能である。また、椅子カバークッションの専用袋の表に取り付けられた透明素材ポケット（図６の１０）にも観戦チケットなどを収納したり、保管の際の目印となるものなどを挿入し表示することが可能である。
【００１９】
【考案の効果】
長時間の観戦時、今までよりも体の苦痛を伴わない。
【００２０】
腰痛などの持病を持つ方やお年寄りの観戦時の負担を軽減できる。
【００２１】
広告（宣伝）効果を一個人に強く印象付けることができる。
【００２２】
畳めることで収納場所をとらない。
【００２３】
気軽に片手に下げて持ち運ぶことができる。
【００２４】
競技場などで多数の在庫を持って使用する場合も、畳んで収納でき持ち運べるので、必要時に必要な数だけ使用することができる。
【００２５】
持ち運べることで自分専用の椅子カバークッションを持つことができる。
【００２６】
汚れても洗うことができる。
【００２７】
撥水・防汚加工を施された表面布材を使用しているため、天候に左右されず使用できる。
【００２８】
座席を離れて戻る際に自分の座席が容易に見つけられる。
【００２９】
広告（宣伝）主は椅子カバークッション対象の椅子が設置されている範囲であれば、その都度広告の場所（椅子カバークッションの場所）を指定することができる。
【００３０】
競技場等の座席を容易に分類（色分けなど）することができる。
【図面の簡単な説明】
【図１】椅子カバークッション前面へプリントされた例を示すための椅子カバークッション斜前面図である。
【図２】椅子カバークッション背面へプリントされた例を示すための椅子カバークッション斜背面図である。
【図３】椅子カバークッション斜前面図である。
【図４】椅子カバークッション斜背面図である。
【図５】椅子カバークッション底面図である。
【図６】椅子カバークッションを簡易携帯するための専用袋の図である。
【図７】椅子カバークッション座部分以外の形成素材の断面図である。
【図８】椅子カバークッション座部分の形成素材の断面図である。
【図９】椅子カバークッション掛け部分の断面図である。
【符号の説明】
１　椅子カバークッション前面へのプリント参考例
２　椅子カバークッション背面へのプリント参考例
３　椅子カバークッション前面と掛け布の接ぎ合わせ線
４　ひもしぼり用ストッパー
５　掛け布に取り付けられた、透明素材を用いたポケット
６　掛け布
７　ひも通し部分
８　ひも（ゴムひもなど）
９　すべり止め加工（もしくはすべり止めネット）
１０　椅子カバークッションの専用袋に取り付けられた透明素材を用いたポケット
１１　表面布材
１２　ウレタンフォーム（スポンジ）
１３　すべり止め加工（もしくはすべり止めネット）
１４　椅子カバークッション前面と掛け布の接ぎ合わせ線
１５　掛け部分
１６　掛け布
１７　前面部分
１８　ひも通し部分
【図１】
0003099491.tif 000003
【図２】
0003099491.tif 000004
【図３】
0003099491.tif 000005
【図４】
0003099491.tif 000006
【図５】
0003099491.tif 000007
【図６】
0003099491.tif 000008
【図７】
0003099491.tif 000009
【図８】
0003099491.tif 000010
【図９】
0003099491.tif 000011
【手続補正書】
【提出日】平成15年8月13日(2003.8.13)
【手続補正１】
【補正対象書類名】明細書
【補正対象項目名】請求項２
【補正方法】変更
【補正の内容】
【請求項２】
公共・私営の施設に設営されたプラスティック製の椅子へ適用されるものにおいて、椅子カバークッションを畳んで袋（図６）に収納でき携帯可能とすることを特徴とした請求項１記載の椅子カバークッション。
【手続補正２】
【補正対象書類名】明細書
【補正対象項目名】請求項３
【補正方法】変更
【補正の内容】
【請求項３】
公共・私営の施設に設営されたプラスティック製の椅子へ適用されるものにおいて、椅子カバークッションの掛け部分（図９の１５）に透明素材を用いたポケット（図４の５）を有し、そのポケットに紙面を挿入することで同時に紙面を表示することが可能であることを特徴とした請求項１記載の椅子カバークッション。